(57)【要約】      （修正有）【課題】使用者の手掌サイズを問わず、片手で保持し易い調節輻輳両眼視測定器を提供する。【解決手段】鼻に接する略Ｖ字型の一端側から他端側へ向かって徐々に縮幅する測定板１と、測定板１の中央に穿設された指標移動用穴５と、測定板１の表面１ａの指標移動用穴５の両側に付された指標位置計測用の距離測定用目盛りと、指標移動用穴５内をスライドする指標ケース２を支持する支柱３を備えた調節輻輳両眼視測定器において、測定板１の両側縁に少なくとも一つの凹部を設け、凹部に手指を当てて確実に測定板１を保持する。【選択図】図１
0003201480.tif 000002
【実用新案登録請求の範囲】
【請求項１】
鼻に接する略Ｖ字型の一端側から他端側へ向かって徐々に縮幅する測定板と、該測定板の中央に穿設された指標移動用穴と、前記測定板表面の前記指標移動用穴の両側に付された指標位置計測用の距離測定用目盛りと、前記指標移動用穴内をスライドする指標ケースを支持する支柱を備えた調節輻輳両眼視測定器において、前記測定板の両側縁に少なくとも一つの凹部が設けられたことを特徴とする調節輻輳両眼視測定器。
【請求項２】
前記測定板の一端側に設けられた磁石対応金具と、該磁石対応金具に対応して接続自在となす磁石及びずれ止め爪を底辺部に備えたメガネ枠と、前記測定板の表面に設けられ前記ずれ止め爪と係合する受け穴を備えたことを特徴とする請求項１記載の調節輻輳両眼視測定器。
【考案の詳細な説明】
【技術分野】
【０００１】
本考案は、調節近点・連続調節近点・立体視・精密輻輳近点・輻輳近点・両眼単一視・両眼視などを簡易に計測できる調節輻輳両眼視測定器に関するものである。
【背景技術】
【０００２】
従来、調節近点・連続調節近点・立体視・精密輻輳近点・輻輳近点・両眼単一視を測定できる調節輻輳近点計として、特許文献１に示すような、手持ち型の調節輻輳近点計がある。特許文献１に記載された調節輻輳近点計の使用方法は、図７に示すように、略Ｖ字型とした測定板９１の端部９１ｃを鼻に当接させ、測定板９１の表面９１ａが上方向となる状態を保持して計測を行う。そのため、一方の手で測定板９１の縁部９１ｂを保持し、他方の手で注視する指標９３を眼の方へゆっくりとスライドさせて指標９３が所定の見え方になる位置で止め、その位置により調節近点・連続調節近点・立体視・精密輻輳近点・輻輳近点・両眼単一視等を計測するものであった。
【先行技術文献】
【特許文献】
【０００３】
【特許文献１】実用新案登録第３００４８７９号公報
【考案の概要】
【考案が解決しようとする課題】
【０００４】
しかしながら、特許文献１に記載された調節輻輳近点計は、一方の手で測定板９１を保持し他方の手で操作を行うため、使用者の手掌サイズと測定板９１のサイズが不適合な場合、又は使用者の握力が劣っている場合には、一方の手から測定板９１が滑りやすく保持しにくいという問題があった。また、このような不安定な保持状態での操作を強いられることにより、測定精度の低下を招いていた。
【０００５】
本考案は、上記の問題点に鑑みなされたもので、使用者の手掌サイズを問わず、片手で保持し易い調節輻輳両眼視測定器を提供することを目的とする。
【課題を解決するための手段】
【０００６】
このため本考案の調節輻輳両眼視測定器は、鼻に接する略Ｖ字型の一端側から他端側へ向かって徐々に縮幅する測定板と、該測定板の中央に穿設された指標移動用穴と、前記測定板表面の前記指標移動用穴の両側に付された指標位置計測用の距離測定用目盛りと、前記指標移動用穴内をスライドする指標ケースを支持する支柱を備えた調節輻輳両眼視測定器において、前記測定板の両側縁に少なくとも一つの凹部が設けられたことを第一の特徴とする。
【０００７】
また、前記測定板の一端側に設けられた磁石対応金具と、該磁石対応金具に対応して接続自在となす磁石及びずれ止め爪を底辺部に備えたメガネ枠と、前記測定板の表面に設けられ前記ずれ止め爪と係合する受け穴を備えたことを第二の特徴とする。
【考案の効果】
【０００８】
本考案の調節輻輳両眼視測定器は、以下の優れた効果を有する。
（１）測定板の両側縁に凹部を設けたため、凹部に指を当てて両側縁から挟むように持ち、使用者の手掌サイズに関わらず、測定板を片手で確実に保持することが可能となる。また、測定板を確実に保持することで、測定精度の低下を防ぐことができる。
（２）一枚の測定板を使用することで調節近点、連続調節近点、輻輳近点、両眼単一視並びに両眼視が簡単に測定できる。
（３）立体視用メガネを接続することで、両眼視機能を極めて簡単にしかも早く測定することができる。
【図面の簡単な説明】
【０００９】
【図１】本考案に係る調節輻輳両眼視測定器の一実施形態を示す斜視図である。
【図２】図１の調節輻輳両眼視測定器の裏面を示す斜視図である。
【図３】図１の調節輻輳両眼視測定器の中央部分を示す拡大図である。
【図４】本考案に係る調節輻輳両眼視測定器の視力表ケース部分を説明する分解斜視図である。
【図５】立体視用メガネの調調節輻輳両眼視測定器への接続を説明する斜視図である。
【図６】本考案に係る調節輻輳両眼視測定器の他実施形態を示す斜視図である。
【図７】従来の調節輻輳両眼視測定器を使用して調節近点測定の様子を示す斜視図である。
【考案を実施するための形態】
【００１０】
本考案に係る調節輻輳両眼視測定器は、図１に示すように、測定板１の中央に縦長状の指標移動用穴５が設けられている。この指標移動用穴５内に、指標ケース支柱３が縦長方向へスライド可能に設けられている。尚、本明細書において、一端側とは測定板１の略Ｖ字型に形成された側を指し示す。
【００１１】
測定板１は、図１に示すように、使用者の鼻に接する略Ｖ字型に形成された一端側から他端側へ向けて縮幅した板状体で、一端側は略Ｖ字状に形成され、略Ｖ字状の曲部１ｃを使用者の鼻に当接させて使用する。他端側には、その両側縁に凹凸波部１ｄ，１ｄ´が形成されている。測定板１の材質は、軽量、かつ一定の剛性を有する素材であれば、いずれでも使用することができ、例えばプラスチックなどの樹脂系材料、ステンレスなどの金属製材料などが挙げられる。
【００１２】
図２に示すように、指標ケース支柱３の脱落防止を目的とし、指標ケース支柱３の底の受け穴に、測定板１の裏面１ｂから指標移動用穴５を通して指標ケース支柱３がスライド可能な程度に固定する留め具７が取り付けられている。裏面１ｂの指標移動用穴５の先端部には、輻輳近点距離を測定するための指標１０が固着されている。
【００１３】
指標移動用穴５の両側（表面１ａ側）には、距離測定用の１ｍｍ単位の目盛り８が設けられている。また、指標ケース支柱３の面の中央位置には、目盛り８に対応する面に基準線９が設けられ、目盛り８のどちらの側でも同じ目盛りが読み取れるように構成されている。指標ケース２内の指標２ｂは指標ケース２の挿入口２ａより出し入れ自由とする。
【００１４】
図４に示すように、指標ケース２の底面に埋設される磁石１９と、指標ケース支柱３の上面側の磁石１９に対応する位置に金具２０が設けられ、指標ケース２と指標ケース支柱３が磁力により着脱自在に構成されている。指標ケース支柱３は、裏面１ｂ側から指標移動用穴５を介して留め具７により指標移動用穴５内を指標ケース支柱３が縦長方向へスライド可能に固定されている。
【００１５】
また、図５に示すように、曲部１ｃ近辺の表面１ａ側には、両眼視（立体視）用指標対応の立体視用メガネ１４が設けられる。立体視用メガネ１４には、主に偏光フィルター方式、赤緑フィルター方式、プリズムレンズ方式など、いずれの方式でも用いることができる。
【００１６】
この、メガネ枠１４は、図５に示すように、メガネ枠１４の底辺中央には、磁石１５が埋設されており、この磁石１５に対応する曲部１ｃ近辺の位置に磁石対応の金具１６が取り付けられ、メガネ枠１４が着脱可能に接続されるよう構成されている。測定板１の表面１ａには、メガネ枠１４の係合爪１７，１７ａが差し込まれる受け穴１８，１８ａが設けられ、メガネ枠１４が測定板１に磁石１５を介して接続された際、メガネ枠１４が容易にずれないよう構成されている。
【００１７】
尚、手指を当接させて保持され易いように構成した測定板１の形状としては、上述したように測定板１の両側縁に複数の凹部を連続的に形成した凹凸波部１ｄを形成するほか、一側縁に少なくとも一つの凹部が形成されていれば良く、形成される位置や形状は、とくに限定されるものではない。このような測定板１の形状例を、図６を参照して説明する。尚、同一の箇所には同一の符号を付している。
【００１８】
図６（ａ）は、測定板１の両側縁の略中央部に、数本の手指が当てられる程度のサイズに凹部１ｅ，１ｅ´が形成されており、測定板１がいわゆる括れ部を備えている。凹部１ｅ，１ｅ´は、互いに対向する位置に形成され、例えば、親指を凹部１ｅに当て、親指以外の手指を凹部１ｅ´に当てることで、片手での掴み幅を小とし、片手で容易に保持可能とされている。
【００１９】
図６（ｂ）は、測定板１の両側縁に、２カ所の凹部１ｅ，１ｅ´が設けられており、測定板１の縮幅に伴って掴み幅も小となるよう構成されている。
【００２０】
図６（ｃ）は、測定板１の両側縁に、指１本が当てられる程度のサイズに形成された凹部１ｅ，１ｅ´が複数個設けられている。凹部１ｅ，１ｅ´は、互いに対向する位置に形成されている。
【００２１】
図６（ｄ）は、測定板１の両側縁に、指１本が当てられる程度のサイズに形成された凹部１ｅ，１ｅ´と、複数の凹部を連続的に形成した凹凸波部１ｄ，１ｄ´が形成されている。曲部１ｃが設けられた一端側では、設けられた凹部１ｅに一方の手の親指を当て、凹凸波部１ｄ´に一方の手の親指以外の手指を当てることで、片手で測定板１を容易に保持可能とされている。また、縮幅した他端側では、設けられた凹部１ｅ´に一方の手の親指を当て、凹凸波部１ｄに一方の手の親指以外の手指を当てることで片手で測定板１を容易に保持可能とされている。
【００２２】
以下、本考案に係わる調節輻輳両眼視測定器の使用方法について説明する。片眼又は両眼での調節近点測定時には、一方の手で測定板１の表面１ａを上方へ向けて持ち、曲部１ｃを鼻にあて、指標ケース２を他端側に配置して使用する。この位置から指標ケース２内の指標２ｂを両眼で注視しながら、留め具７を他方の手でもち、指標ケース２を眼の方へゆっくりスライドさせ、注視している指標２ｂがぼやけて認知できなくなる直前でスライドを止める。
【００２３】
この時の指標ケース２の位置が調節近点であり、指標ケース支柱３の基準線９の位置の目盛り８を読み取り、調節近点距離を測定することができる。またこれを繰り返して連続的に測定することで、両眼での連続調節近点も測定することができる。
【００２４】
片眼での調節近点測定時の際には、両眼での測定と同じ要領で行い、右眼、左眼それぞれの調節近点並びに連続調節近点を測定することができる。また、指標２ｂは指標ケース２から出し入れ自由なため、種々の指標を入れ替えることができる。
【００２５】
また、メガネ枠１４を使用しての精密輻輳近点測定の際には、測定板１に磁石１５を介してメガネ枠１４を装着する。そして、指標ケース２にメガネ枠１４に対応して立体的に見える指標２ｂを指標ケース２内に差し込み、両眼調節近点測定と同じ要領で、メガネ枠１４を通して指標ケース２内の指標２ｂが立体的に見えるか否かを確認、立体的に見えれば眼の方にゆっくりスライドさせ、視標２ｂが立体的に見えなくなる直前でスライドを停止する。この時の指標ケース支柱３にある読みとり用基準線９の示す位置が精密な輻輳近点となる。
【００２６】
輻輳近点並びに両眼単一視並びに両眼視を測定する際には、測定板１の磁石１９とそれに対応する金具２０により接続されている指標ケース２と指標ケース支柱３を分離し、測定板の裏面１ｂを上方に向けて曲部１ｃに鼻を当接させ、測定板１を一方の手で持ち、測定板１の裏面１ｂの中央の指標移動用穴５上の留め具７を両眼で注視しながら、測定板１の表面１ａの指標ケース２を取り外した指標ケース支柱３をもう一方の手の指で摘み、眼の方へゆっくりスライドさせ、注視している留め具７が２つに見える直前でスライドを止める。輻輳近点の位置にある留め具７が１つに見えている時に、指標移動用穴５の裏面１ｂ側の他端側に固着した固定指標１０が２つにぼんやり見えているか確認する。次いで、この位置で固定指標１０が１つに見えるように注視し、留め具７がぼんやり２つに見えているか確認することで両眼単一視が測定できる。また、この際、測定板１の表面１ａにある指標ケース支柱３の基準線９の位置の目盛り８を読み取ることで、輻輳近点距離が測定できる。
【００２７】
尚、本考案に係る調節輻輳両眼視測定器の使用方法は、上述した使用に限定されるものではない。例えば、コントラスト視力や立体視（両眼視機能）に対応した指標を入れ替えることで、これらを測定することが可能である。したがって、指標ケース２内やメガネ枠１４に着装される指標は、いずれの指標でも使用することができる。
【符号の説明】
【００２８】
１          測定板
１ａ        表面
１ｂ        裏面
１ｃ        曲部
１ｄ        凹凸波部
１ｅ        凹部
２          指標ケース
２ａ        挿入口
２ｂ        指標
３          指標ケース支柱
５          指標移動用穴
７          留め具
８          目盛り
９          基準線
１０        固定指標
１４        メガネ枠
１５，１９  磁石
１６，２０  金具
１７        係合爪
１８        受け穴
【図１】
0003201480.tif 000003
【図２】
0003201480.tif 000004
【図３】
0003201480.tif 000005
【図４】
0003201480.tif 000006
【図５】
0003201480.tif 000007
【図６】
0003201480.tif 000008
【図７】
0003201480.tif 000009